(57)【要約】【課題】  本発明は、持ち運びが便利で、且つ電柱の昇降を円滑に行うことのできる電柱昇降用縄ばしごを提供することを課題とする。【解決手段】  左右両側に複数のステップが取り付けられ、少なくとも下方側にある左右のステップが高さ方向で互い違いに配置された電柱に用いる電柱昇降用縄ばしごであって、ステップから垂下させる左右一対の垂下縄部と、両端部が一対の垂下縄部に接続され、該垂下縄部の長手方向に間隔をおいて設けられた二つ以上のステップ縄部とを備え、前記一対の垂下縄部は、各一端部にステップに掛止させる掛止手段が設けられ、各掛止手段を左右のステップの配置に対応させるべく、一方の垂下縄部の一端側が他方の垂下縄部の一端よりも延出するように形成されるとともに、各ステップ縄部の両端部は、先端を垂下縄部の他端側にして垂下縄部に沿った状態で該垂下縄部に接続されている。【選択図】図２
2007278024.tif 000002
【特許請求の範囲】
【請求項１】
左右両側に所定高さから上方に向けて所定間隔で複数のステップが取り付けられ、少なくとも下方側にある左右のステップが高さ方向で互い違いに配置された電柱に対し、作業者が昇降する際に用いる電柱昇降用縄ばしごであって、左右両側のステップから垂下させる左右一対の垂下縄部と、両端部が一対の垂下縄部に接続され、該垂下縄部の長手方向に間隔をおいて設けられた二つ以上のステップ縄部とを備え、前記一対の垂下縄部は、各一端部にステップに掛止させる掛止手段が設けられ、各掛止手段を左右のステップの配置に対応させるべく、一方の垂下縄部の一端側が他方の垂下縄部の一端よりも延出するように形成されるとともに、各ステップ縄部の両端部は、先端を垂下縄部の他端側にして垂下縄部に沿った状態で該垂下縄部に接続されていることを特徴とする電柱昇降用縄ばしご。
【請求項２】
前記ステップ縄部には、筒状に形成された保持体が外嵌されている請求項１に記載の電柱昇降用縄ばしご。
【請求項３】
電柱に対して巻着可能な巻着手段を更に備えるとともに、一対の垂下縄部のそれぞれの他端部に巻着手段を挿通させる挿通部が設けられている請求項２又は３に記載の電柱昇降用縄ばしご。
【発明の詳細な説明】
【技術分野】
【０００１】
本発明は、電柱の昇降に用いるための電柱昇降用縄ばしごに関する。
【背景技術】
【０００２】
従来から電柱には昇降用のステップが設けられている。かかるステップは、電柱の径方向の左右両側に、電柱の高さ方向に所定間隔をおいて複数設けられている。そして、その左右両側にある複数のステップは、電柱の高さ方向に互い違いに配設されている。すなわち、各ステップは、電柱を昇降する作業者の手や足の位置に適した配置で設けられており、電柱に対して昇降する作業者の利便性を高めるようにしている。
【０００３】
ところで、複数のステップを電柱の全長に亘って配設できれば、作業者はそのまま電柱に対して昇降できるが、ステップは電柱に対して突出した態様で設けられるため、安全面等の配慮から地面から所定高さの範囲にステップを配置しないのが一般的である。
【０００４】
そのため、作業者は梯子で所定高さにまで上がって最下のステップに乗り移るようにして電柱に対する昇降作業を行っている。
【発明の開示】
【発明が解決しようとする課題】
【０００５】
しかしながら、上述の如く電柱の昇降に梯子が必要であると、作業者は常に梯子を持ち運ばなければならず、該作業者の作業負担が大きくなるといった問題がある。特に、山間部のように車の乗り入れが困難な地域においては、作業者が梯子を持って長距離を移動しなければならず、作業負担は多大なものとなってしまう。
【０００６】
そこで、本発明は、斯かる実情に鑑み、持ち運びが便利で、且つ電柱の昇降を円滑に行うことのできる電柱昇降用縄ばしごを提供することを課題とする。
【課題を解決するための手段】
【０００７】
本発明に係る電柱昇降用縄ばしごは、左右両側に所定高さから上方に向けて所定間隔で複数のステップが取り付けられ、少なくとも下方側にある左右のステップが高さ方向で互い違いに配置された電柱に対し、作業者が昇降する際に用いる電柱昇降用縄ばしごであって、左右両側のステップから垂下させる左右一対の垂下縄部と、両端部が一対の垂下縄部に接続され、該垂下縄部の長手方向に間隔をおいて設けられた二つ以上のステップ縄部とを備え、前記一対の垂下縄部は、各一端部にステップに掛止させる掛止手段が設けられ、各掛止手段を左右のステップの配置に対応させるべく、一方の垂下縄部の一端側が他方の垂下縄部の一端よりも延出するように形成されるとともに、各ステップ縄部の両端部は、先端を垂下縄部の他端側にして垂下縄部に沿った状態で該垂下縄部に接続されていることを特徴とする。なお、ここで「縄」とは、シュロや麻等の植物繊維を縒り合わせたロープや、合成繊維を縒り合わせたロープは勿論のこと、植物繊維と合成繊維とを縒り合わせたロープ等を含む概念である。
【０００８】
上記構成の電柱昇降用縄ばしごによれば、一対の垂下縄部及び二つ以上のステップ縄部が縄（ロープ）で構成されているので、それぞれが変形自在で未使用時にコンパクトにすることができ、持ち運びが便利である。また、一対の垂下縄部は、各一端部にステップに掛止させる掛止手段が設けられ、各掛止手段を左右のステップの配置に対応させるべく、一方の垂下縄部の一端側が他方の垂下縄部の一端よりも延出するように形成されるので、電柱に取り付けられた左右両側のステップの配置が電柱の高さ方向で相違していても、各垂下縄部の他端側で位置ズレすることがなく、一対の垂下縄部に接続された各ステップ縄部の配置を適正な状態にすることができる。
【０００９】
さらに、各ステップ縄部の両端部は、先端を垂下縄部の他端側にして垂下縄部に沿った状態で該垂下縄部に接続されているので、作業者が当該電柱昇降用縄ばしごを上がる際に、各ステップ縄部に対して円滑に足をかけることができる。すなわち、作業者が足をかける部分を真っすぐな棒材で構成したり、各垂下縄部と略直交するようにステップ縄部を設けたりすると、一対の垂下縄部をステップから垂下させた状態で、足のかける部分が電柱と接触して作業者が足をかけることができなくなる。しかしながら、本発明に係る電柱昇降用縄ばしごのステップ縄部は、両端部が先端を垂下縄部の他端側にして垂下縄部に沿った状態で該垂下縄部に接続されているので、端部よりも中央側が上方に位置することになり、一対の垂下縄部をステップに掛止した状態で、ステップ縄部が自重或いは電柱との接触等によって倒れてその中央部分が電柱から離れた態様となる。従って、作業者はステップ縄部に容易に足をかけることができ、円滑に昇降することができる。
【００１０】
そして、本発明の一態様として、前記ステップ縄部には、筒状に形成された保持体が外嵌されてもよい。このようにすれば、保持体の存在でステップ縄部の少なくとも一部に剛性を持たせることができ、作業者が足をかけやすくすることができる。
【００１１】
さらに、本発明の他態様として、電柱に対して巻着可能な巻着手段を更に備えるとともに、一対の垂下縄部のそれぞれの他端部に巻着手段を挿通させる挿通部が設けられていてもよい。このようにすれば、巻着手段を挿通部に挿通した状態で電柱に巻き付けることで、ステップから垂下した垂下縄部（電柱昇降用縄ばしご）の下端部の移動が規制され、さらに作業者が昇降し易い状態にすることができる。
【発明の効果】
【００１２】
以上のように、本発明の電柱昇降用縄ばしごによれば、持ち運びが便利で、且つ電柱の昇降を円滑に行うことができるという優れた効果を奏し得る。
【発明を実施するための最良の形態】
【００１３】
以下、本発明の一実施形態に係る電柱昇降用縄ばしごについて、添付図面を参照しつつ説明する。
【００１４】
本実施形態に係る電柱昇降用縄ばしごは、図１に示す如く、径方向左右両側に所定高さから上方に向けて所定間隔で複数のステップＳＬ…、ＳＲ…が取り付けられ、少なくとも下方側にある左右両側のステップＳＬ…、ＳＲ…が高さ方向で互い違いに配置された電柱Ｐに対し、作業者が昇降するのに用いるものである。
【００１５】
具体的に説明すると、本実施形態に係る電柱昇降用縄ばしごは、図２に示す如く、左右両側のステップＳＬ…、ＳＲ…から垂下させる左右一対の垂下縄部１０ａ，１０ｂと、両端部が一対の垂下縄部１０ａ，１０ｂに接続され、該垂下縄部１０ａ，１０ｂの長手方向に間隔をおいて設けられた二つ以上のステップ縄部１１…とを備えている。さらに、本実施形態に係る電柱昇降用縄ばしごは、前記ステップ縄部１１…に外嵌された筒状の保持体１４と、電柱Ｐに対して巻着可能な巻着手段１５とを備えている。
【００１６】
前記一対の垂下縄部１０ａ，１０ｂのそれぞれは、麻やシュロ等の植物繊維、又は、合成繊維、或いはこれらの組合せで縒られた変形自在な（可撓性を有する）ロープで構成されている。そして、一対の垂下縄部１０ａ，１０ｂは、一方の垂下縄部１０ａの一端側が他方の垂下縄部１０ｂの一端よりも延出するように形成されている。すなわち、一対の垂下縄部１０ａ，１０ｂの一方１０ａは他方１０ｂの比べてステップＳＬ…、ＳＲ…の間隔分長く形成されており、他端側を一致させるように設けられている。本実施形態に係る一対の垂下縄部１０ａ，１０ｂは、上述の態様となるよう、一本のロープを長手方向でＵ字状に曲げることで対向する部分で構成されている。
【００１７】
そして、一対の垂下縄部１０ａ，１０ｂの各一端部には、ステップＳＬ…、ＳＲ…に掛止するための掛止手段１２ａ，１２ｂが設けられている。上述の如く、一対の垂下縄部１０ａ，１０ｂの一端同士が長手方向にずれた位置にあるため、各掛止手段１２ａ，１２ｂについても、それぞれ垂下縄部１０ａ，１０ｂの長手方向にずれた位置に設けられている。すなわち、本実施形態に係る電柱昇降用縄ばしご１は、掛止手段１２ａ，１２ｂを電柱Ｐの左右両側にあるステップＳＬ…、ＳＲ…に対応した配置にすべく、一方の垂下縄部１０ａの一端側が他方の垂下縄部１０ｂの一端よりも延出するように構成している。
【００１８】
本実施形態に係る掛止手段１２ａ，１２ｂは、垂下縄部１０ａ，１０ｂの一端部を輪のようにして形成されている。すなわち、各掛止手段１２ａ，１２ｂは、垂下縄部１０ａ，１０ｂの一端側を略Ｕ字状に折り曲げて該垂下縄部１０ａ，１０ｂの他端側の部分に端部を接続することで、環状に形成されている。なお、垂下縄部１０ａ，１０ｂの他端側の部分に対する端部の接続方法については、垂下縄部１０ａ，１０ｂに対するステップ縄部１１…の接続、及び後述する挿通部１３ａ，１３ｂの作製方法と併せて、詳細に後述することとする。
【００１９】
本実施形態に係る電柱昇降用縄ばしご１は、垂下縄部１０ａ，１０ｂの各他端部に前記巻着手段１５を挿通させる挿通部（以下、ベルト挿通部という）１３ａ，１３ｂが設けられている。本実施形態のベルト挿通部１３ａ，１３ｂは、垂下縄部１０ａ，１０ｂと同様のロープを環状にして形成されている。なお、本実施形態おいては、一対の垂下縄部１０ａ，１０ｂが一本のロープをＵ字状に曲げて形成されているため、ベルト挿通部１３ａ，１３ｂは垂下縄部１０ａ，１０ｂとは別体で形成された上で、各垂下縄部１０ａ，１０ｂの他端部に接続されている。
【００２０】
前記ステップ縄部１１…についても、垂下縄部１０ａ，１０ｂと同様のロープで形成されている。そして、各ステップ縄部１１…は、一方の端部が一方の垂下縄部１０ａに接続され、他方の端部が他方の垂下縄部１０ｂに接続されることで、一対の垂下縄部１０ａ，１０ｂに跨った態様をなしている。ここで本実施形態の特徴部分について説明すると、各ステップ縄部１１…の両端部は、先端を垂下縄部１０ａ，１０ｂの他端側（ステップＳＬ…、ＳＲ…に掛止した状態で下側になる端部側）にして垂下縄部１０ａ，１０ｂに沿った状態で該垂下縄部１０ａ，１０ｂに接続されている。すなわち、各ステップ縄部１１…の端部は、両端から中央側に向けて垂下縄部１０ａ，１０ｂの一端側（ステップＳＬ…、ＳＲ…に掛止した状態で上側になる端部側）に延びるように、垂下縄部１０ａ，１０ｂに接続されている。
【００２１】
従って、該電柱昇降用縄ばしごは、常態（ステップＳＬ…、ＳＲ…に掛止していない状態）で、ステップ縄部１１…の中央部がその端部よりも垂下縄部１０ａ，１０ｂの一端側に倒れた姿勢になるようになっている。これにより、一対の掛止手段１２ａ，１２ｂを左右両側のステップＳＬ…、ＳＲ…に掛止して垂下縄部１０ａ，１０ｂをステップＳＬ…、ＳＲ…から垂下させると、ステップ縄部１１…が電柱Ｐから離間して作業者の足がかけやすい態様になるようになっている。つまり、一対の垂下縄部１０ａ，１０ｂをステップＳＬ…，ＳＲ…から垂下させると、ステップ縄部１１…の中央が自重又は電柱Ｐとの接触で垂下縄部１０ａ，１０ｂとの接続部分を支点にして該垂下縄部１０ａ，１０ｂの他端側に倒れようとするが、ステップ縄部１１…（ロープ自体）の剛性で垂下した姿勢に至ることなく倒れる途中の姿勢で維持させ、ステップ縄部１１…の中央部分（足をかける部分）が電柱Ｐから離れた状態、すなわち、足のかけ易い状態になるようになっている（図４（ロ）参照）。
【００２２】
さらに、本実施形態においては、各ステップ縄部１１…は、垂下縄部１０ａ，１０ｂの他端側に位置するものほど長さが短く設定されている。すなわち、電柱Ｐの左右両側にあるステップＳＬ…、ＳＲ…から垂下する一対の垂下縄部１０ａ，１０ｂは、ステップＳＬ…、ＳＲ…の軸線と交差する方向に傾斜（他端側ほど電柱Ｐの前方側（作業者が位置する側）に傾斜）した状態になるため、各ステップ縄部１１…は、その状態を考慮して、電柱Ｐの外周回りにおける一対の垂下縄部１０ａ，１０ｂ間の距離に対応した長さに設定している。これにより、ステップ縄部１１…と電柱Ｐとの間に、作業者がステップ縄部１１…に足をかけるのに最低限必要な隙間を形成した上で、作業者が足をかけたときにステップ縄部１１…が必要以上に下方に垂れてしまうのを防止できるようにしている。
【００２３】
前記保持体１４は、ステップ縄部１１…の足をかける部分を適正な姿勢で維持させるためのもので、本実施形態においては、重量の増加の防止やステップ縄部１１…の変形を担保の観点から、樹脂やゴム等の可撓性を有するチューブで構成されている。なお、該保持体１４は、ステップ縄部１１…を垂下縄部１０ａ，１０ｂに接続する前にステップ縄部１１…に外嵌されており、ステップ縄部１１…は保持体１４が外嵌された状態で垂下縄部１０ａ，１０ｂに接続されている。
【００２４】
そして、前記巻着手段１５は、電柱Ｐの基端部の外周長さ以上のベルト１５ａと、該ベルト１５ａの一端部に設けられたバックル１５ｂとで構成されている。前記バックル１５ｂは、ベルト１５ａを挿通可能に構成されるとともに挿通したベルト１５ａを係止できるようになっている。これにより、該巻着手段１５は、帯体を電柱Ｐに巻き付けた状態で該電柱Ｐを締め付けて固定できるようになっている。
【００２５】
次に、掛止手段１２ａ，１２ｂやベルト挿通部１３ａ，１３ｂの作製、及び垂下縄部１０ａ，１０ｂとステップ縄部１１…との接続に用いられるロープの接続方法について説明する。なお、ここでは、図３に示す如く、被接続側のロープＡ及び接続側のロープＢのそれぞれに、三本の細目のロープ（以下、細目ロープという）Ｒ１、Ｒ２、Ｒ３を縒って形成された同種のものを採用した場合を一例に説明することとし、便宜上、被接続側Ａのロープを親ロープと、接続側のロープＢを子ロープと称することとする。また、図中、下から上に向けて順に、ハッチングの入っていない細目ロープＲ１を第一細目ロープと、斜めハッチングの入った細目ロープＲ２を第二細目ロープと、縦ハッチングの入った細目ロープＲ３を第三細目ロープといい、親ロープＡと子ロープＢとの間で対応する細目ロープには同一名称及び同一符号を付すこととする。
【００２６】
まず、子ロープＢの先端部の縒りを解き、三本の細目ロープ（第一細目ロープＲ１、第二細目ロープＲ２、第三細目ロープＲ３）の状態にしてそれぞれの先端部にテープ等を張って各細目ロープＲ１、Ｒ２、Ｒ３の縒りが解かれるのを防止する。その後、子ロープＢの第二細目ロープＲ２を親ロープＡの第三細目ロープＲ３の下に通し、親ロープＡの第三細目ロープＲ３を押さえつつ子ロープＢの第一細目ロープＲ１を親ロープＡの第一細目ロープＲ１の下に通す。
【００２７】
そして、親ロープＡ及び子ロープＢを１８０°回して（図において左右反転させて）、親ロープＡの第二細目ロープＲ２を探し出し、子ロープＢの第一及び第二細目ロープＲ１，Ｒ２と同じ方向で、子ロープＢの第三細目ロープＲ３を親ロープＡの第二細目ロープＲ２の下に通す。この状態で子ロープＢの第一乃至第三細目ロープＲ１，Ｒ２，Ｒ３は親ロープＡから三方向に出た状態になるので、これらを一本ずつ締め付ける。この工程がいわゆるサツマ挿しと言われるもので、この工程（サツマ挿し）を三回以上繰り返すことで親ロープＡと子ロープＢとが接続される。
【００２８】
従って、掛止手段１２ａ，１２ｂは、垂下縄部１０ａ，１０ｂで輪をつくるように該垂下縄部１０ａ，１０ｂの端部を曲げ、子ロープＢとして折り返された端部側が、該端部と対向する親ロープＡとしての部分（垂下縄部１０ａ，１０ｂ）にサツマ挿しされることで形成される。また、ベルト挿通部１３ａ，１３ｂ部は、短尺なロープを輪にして子ロープＢとしての一方の端部を親ロープＡとしての他方の端部側にサツマ挿しされることにより形成され、そして、子ロープＢとしての他方の端部を親ロープＡとしての垂下縄部１０ａ，１０ｂにサツマ挿しされることで垂下縄部１０ａ，１０ｂに接続されている。
【００２９】
そして、垂下縄部１０ａ，１０ｂに対するステップ縄部１１…の接続においては、親ロープＡとしての垂下縄部１０ａ，１０ｂに対して子ロープＢとしてのステップ縄部１１…の端部が該垂下縄部１０ａ，１０ｂの一端側から他端側に向けてサツマ挿しされることで、垂下縄部１０ａ，１０ｂに対して各ステップ縄部１１…が接続されている。
【００３０】
従って、本実施形態に係る電柱昇降用縄ばしご１の主たる構成は、単一の材料で形成されたもので、全体として折り曲げ自在な構成となっている。
【００３１】
本実施形態に係る電柱昇降用縄ばしご１は、以上の構成からなり、図４（ａ）及び（ｂ）を参照して、該電柱昇降用縄ばしご１の使用態様について説明すると、まず、一対の垂下縄部１０ａ，１０ｂの一端部に形成された各掛止手段１２ａ，１２ｂを電柱ＰのステップＳＬ…、ＳＲ…に掛止させる。すなわち、各掛止手段１２ａ，１２ｂを間接活線工具や棒材等を介して電柱ＰのステップＳＬ…、ＳＲ…に掛止させる。そうすると、本実施形態に係る電柱昇降用縄ばしご１は、各掛止手段１２ａ，１２ｂが左右両側のステップＳＬ…、ＳＲ…の高さ方向の間隔に対応してずれた位置に設けられているので、左右両側で互い違いに配置されたステップＳＬ…、ＳＲ…に垂下させても、各垂下縄部１０ａ，１０ｂの下端部（他端部）が略同じ高さに位置し、各ステップ縄部１１…の両端同士が高さ方向で略対応した位置になる。
【００３２】
そして、ベルト挿通部１３ａ，１３ｂにベルト１５ａを挿通した上で、該巻着手段１５を電柱Ｐの基部に巻着して固定し、電柱昇降用縄ばしご１の下端の揺れの防止を図る。
【００３３】
このように電柱昇降用縄ばしご１を取り付けると、上述の如くステップ縄部１１…が一定の姿勢にまで倒れ、該ステップ縄部１１…の中央部（保持体１４）が電柱Ｐから離間してステップ縄部１１…（保持体１４）と電柱Ｐとの間につま先を位置させる隙間が形成される。従って、ステップ縄部１１…（保持体１４）に足をかけやすい状態となり、作業者は、円滑な昇降を行うことができる。
【００３４】
以上のように、本実施形態に係る電柱昇降用縄ばしご１は、一対の垂下縄部１０ａ，１０ｂ及び二つ以上のステップ縄部１１…が縄（ロープ）で構成されているので、それぞれが変形自在で未使用時にコンパクトにすることができ、持ち運びが便利である。そして、前記一対の垂下縄部１０ａ，１０ｂは、各一端部にステップＳＬ…、ＳＲ…に掛止させる掛止手段１２ａ，１２ｂが設けられ、各掛止手段１２ａ，１２ｂを左右のステップＳＬ…、ＳＲ…の配置に対応させるべく、一方の垂下縄部１０ａ，１０ｂの一端側が他方の垂下縄部１０ａ，１０ｂの一端よりも延出するように形成されるので、電柱Ｐに取り付けられた左右両側のステップＳＬ…、ＳＲ…の配置が電柱Ｐの高さ方向で相違していても、各ステップ縄部１１…が傾くことなく適正な配置状態にすることができる。
【００３５】
さらに、各ステップ縄部１１…の両端部は、先端を垂下縄部１０ａ，１０ｂの他端側にして垂下縄部１０ａ，１０ｂに沿った状態で該垂下縄部１０ａ，１０ｂに接続されているので、作業者が当該電柱昇降用縄ばしご１を上がる際に、各ステップ縄部１１…に対して円滑に足をかけることができる。
【００３６】
そして、前記ステップ縄部１１…には、筒状に形成された保持体１４が外嵌されているので、保持体１４の存在でステップ縄部１１…の少なくとも一部に剛性を持たせることができ、作業者が足をかけやすくすることができる。
【００３７】
さらに、電柱Ｐに対して巻着可能な巻着手段１５を備えるとともに、一対の垂下縄部１０ａ，１０ｂのそれぞれの他端部にベルト１５ａを挿通させるベルト挿通部１３ａ，１３ｂを設けるようにしたので、電柱昇降用縄ばしご１の下端部の移動を規制することができ、作業者が円滑に昇降することができる。
【００３８】
尚、本発明の電柱昇降用縄ばしごは、上記実施形態に限定されるものではなく、本発明の要旨を逸脱しない範囲内において種々変更を加え得ることは勿論である。
【００３９】
上記実施形態において、ステップ縄部１１…に外嵌した保持体１４を設けるようにしたが、これに限定されるものでなく、例えば、保持体１４を設けることなくステップ縄部１１…に直接足をかけるような構成であってもよい。但し、作業者が足を置いたときの安定性等を考慮すれば、保持体１４を設けることが好ましことが言うまでもない。また、保持体１４を設ける場合、保持体１４は円筒状のものに限定されるものではなく、例えば、保持体１４に断面多角形状をなす筒体を採用するようにしてもよい。このようにすれば、保持体１４の軸線方向に延びる稜線が周方向に複数形成されるため、当該稜線が滑り止めの役目を担うことになる。従って、保持体１４の外周面に滑り止めを施さなくても安全性を確保することができる。
【００４０】
上記実施形態において、電柱ＰのステップＳＬ…、ＳＲ…に掛止するための掛止手段１２ａ，１２ｂを垂下縄部１０ａ，１０ｂの一端部を輪にして形成するようにしたが、これに限定されるものではなく、例えば、垂下縄部１０ａ，１０ｂの一端部に金属製のフックを設け、当該フックで掛止手段１２ａ，１２ｂを構成するようにしてもよい。また、掛止手段１２ａ，１２ｂを金属製のフックで構成する場合には、必ずしも掛止手段１２ａ，１２ｂを輪状に形成する必要はなく、ステップＳＬ…、ＳＲ…に掛止できる形状であればよい。但し、フックを取り付けるに際し、垂下縄部１０ａ，１０ｂの端部（フックに挿通する部分）を輪の如く形成しなければならず、当該電柱昇降用縄ばしこを作製するに際して、上記実施形態と同様の工程を要するため、フックを設けることなく垂下縄部１０ａ，１０ｂの一端部で掛止手段１２ａ，１２ｂを形成することがコスト面や当該電柱昇降用縄ばしご１のコンパクト化の観点においても有効である。
【００４１】
上記実施形態において、一本のロープをＵ字状に曲げることで一対の垂下縄部１０ａ，１０ｂを形成するようにしたが、これに限定されるものではなく、例えば、一対の垂下縄部１０ａ，１０ｂのそれぞれを独立したロープで構成するようにしてもよい。この場合においても、一対の垂下縄部１０ａ，１０ｂのそれぞれの一端が、電柱Ｐに設けられた左右両側のステップＳＬ…、ＳＲ…の間隔に対応してずれる、すなわち、一方の垂下縄部１０ａ，１０ｂの一端に対して他方の垂下縄部１０ａ，１０ｂの一端が延出した態様にすることは勿論のことである。
【００４２】
さらに、上記実施形態において、垂下縄部１０ａ，１０ｂの下端部に挿通部１３ａ，１３ｂを形成するとともに、挿通部１３ａ，１３ｂに挿通して電柱Ｐに巻着させる巻着手段１５を設けるようにしたが、これに限定されるものではなく、挿通部１３ａ，１３ｂ及び巻着手段１５は必要に応じて設けるようにすればよい。但し、当該電柱昇降用縄ばしご１は、全体がロープで構成され、昇降時に揺れが生じる虞が大きいため、上記実施形態と同様にすることが好ましい。
【００４３】
そして、巻着手段１５を設ける場合、該巻着手段１５はベルト１５ａとバックル１５ｂとを備えたものに限定されるものではなく、例えば、巻着手段１５を垂下縄部１０ａ，１０ｂ等と同様のロープで構成するようにしても勿論よい。また、挿通部１３ａ，１３ｂについては、ロープで構成したものに限定されるものではなく、例えば、挿通部１３ａ，１３ｂを金属製のリングやフックで構成するようにしてもよい。但し、掛止手段１２ａ，１２ｂと同様、挿通部１３ａ，１３ｂを金属や樹脂等の別部材で構成すると、その部分が変形できなくなる上に、取り付け作業や部品の増加に伴ってコストが高騰する虞があるため、上記実施形態と同様の構成にすることが好ましい。
【００４４】
上記実施形態において、電柱昇降用縄ばしご１を間接活線工具や棒材を用いてステップＳＬ…、ＳＲ…に掛止させるようにしたが、例えば、掛止手段１２ａ，１２ｂと最上のステップ縄部１１…との間の垂下縄部１０ａ，１０ｂに対し、例えば可撓性のある樹脂チューブを外嵌部した構成とし、その樹脂チューブを把持することで先端にある掛止手段１２ａ，１２ｂをステップＳＬ…、ＳＲ…に掛止させるようにしてもよい。すなわち、垂下縄部１０ａ，１０ｂのみを把持して掛止手段１２ａ，１２ｂを上方にあるステップＳＬ…、ＳＲ…に掛止させるようにすると、垂下縄部１０ａ，１０ｂが変形して掛止手段１２ａ，１２ｂを直接ステップＳＬ…、ＳＲ…に掛止させることができないが、上述のような樹脂チューブを外嵌しておけば、わずかながらも剛性を高めることができるため、掛止手段１２ａ，１２ｂをステップＳＬ…、ＳＲ…に掛止させるといった短時間での折れ曲がりを防止することができる。そのため、上記実施形態の如く間接活線工具や棒材等の別の道具を用いることなくステップＳＬ…、ＳＲ…に掛止手段１２ａ，１２ｂを掛止させることができる。そして、上述の如く樹脂チューブに可撓性を持たせれば、未使用時に折り曲げることもでき、当該電柱昇降用縄ばしご１のコンパクト化が阻害されるのも防止することができる。
【００４５】
上記実施形態において、垂下縄部１０ａ，１０ｂに対するステップ縄部１１…の接続、掛止手段１２ａ，１２ｂや挿通部１３ａ，１３ｂの作製等をロープ同士の編み込み（サツマ挿し）で行うようにしたが、これに限定されるものではなく、例えば、ロープ同士を縫い合わせて接続したり、他の編み込み方法でロープ同士を接続するようにしてもよい。
【図面の簡単な説明】
【００４６】
【図１】本発明の一実施形態に係る電柱昇降用縄ばしごを用いて昇降する電柱の概略構成図を示す。
【図２】同実施形態の電柱昇降用縄ばしごの全体斜視図を示す。
【図３】同実施形態の電柱昇降用縄ばしごの垂下縄部に対するステップ縄部の接続や、掛止手段の作製、ベルト挿通部の作製と取り付け等に用いるロープの接続方法を説明するための説明図を示す。
【図４】同実施形態の電柱昇降用縄ばしごを電柱に取り付けた状態であって、（ａ）は、正面（ステップの軸線と直交方向）から見た状態を示し、（ｂ）は、横（ステップの軸線方向）から見た状態を示す。
【符号の説明】
【００４７】
１０ａ，１０ｂ…垂下縄部、１１…ステップ縄部、１２ａ，１２ｂ…掛止手段、１３ａ，１３ｂ…ベルト挿通部、１４…保持体、１５…巻着手段、１５ａ…ベルト、１５ｂ…バックル、Ａ…親ロープ、Ｂ…子ロープ、Ｒ１…第一細目ロープ（細目ロープ）、Ｒ２…第二細目ロープ（細目ロープ）、Ｒ３…第三細目ロープ（細目ロープ）、Ｐ…電柱、ＳＬ，ＳＲ…ステップ
【図１】
2007278024.tif 000003
【図２】
2007278024.tif 000004
【図３】
2007278024.tif 000005
【図４】
2007278024.tif 000006